(57)【要約】【課題】  アームピースのリテーナに対する適切な位置決めを容易に行うことができ、かつ美観が向上され得るワイパーアームを提供する。【解決手段】  ワイパーアーム１において、アームピース４の本体部１０と取り付け部１２の間に、取り付け部１２側を向く段部１３を設け、取り付け部１２がリテーナ３に取り付けられたときに、段部１３がリテーナ３の先端３Ｇに当接するようにした。また、段部１３を、リテーナ３からアームピース４との間に段差が無くなるような高さとすることにより、ワイパーアーム１の外観を、リテーナ３からアームピース４にかけてなだらかに連なるものとした。【選択図】      図４
2008195249.tif 000002
【特許請求の範囲】
【請求項１】
ワイパーブレードと連結可能なアームピースと、
前記アームピースを保持するリテーナと
を備えたワイパーアームにおいて、
前記アームピースに段部を設け、
前記段部が前記リテーナの端部と当接するようにしたワイパーアーム。
【請求項２】
前記段部の高さは、前記リテーナと前記アームピースとの間に段差が無くなるように設定されている請求項１に記載のワイパーアーム。
【請求項３】
前記アームピースは、本体部と、前記本体部から延び前記リテーナに固定される取り付け部とを備え、前記段部は、前記本体部と前記取り付け部の境界に前記取り付け部側を向いて形成されている請求項１又は請求項２に記載のワイパーアーム。
【発明の詳細な説明】
【技術分野】
【０００１】
本発明は、ワイパー装置に用いられるワイパーアームに関し、特に、リテーナに対するアームピースの取り付けが容易となり、かつワイパーアーム全体の美観が向上するように改良されたワイパーアームに関する。
【背景技術】
【０００２】
ワイパー装置に用いられるワイパーアームには、ワイパーアームの本体部分を構成するリテーナに、ワイパーブレードとの連結部分であるアームピースを取り付けて構成されるものがある。図５、図６には、このような従来のワイパーアームを示す。図示されるように、ワイパーアーム１０１は、アームヘッド１０２と、アームヘッド１０２に回動可能に連結されたリテーナ１０３と、リテーナ１０３に保持されたアームピース１０４とから構成される。
【発明の開示】
【発明が解決しようとする課題】
【０００３】
図７に示すように、アームピース１０４のリテーナ１０３への固定は、アームピース１０４の基端部１０４Ａをリテーナ１０３の両側側面１０３Ａの間に差し込み、リテーナ１０３のかしめ部１０３Ｂをかしめることにより行われる。この場合、アームピース１０４をリテーナ１０３に対して適切な位置に配置する必要があるが、従来のワイパーアーム１０１では、この位置決めは、アームピース１０４に形成された位置決め穴１０４Ｂに、リテーナ１０３に設けられた位置決め突起１０３Ｃを嵌合させることにより行われていた。このため、アームピース１０４及びリテーナ１０３に、位置決め穴１０４Ｂ及び位置決め突起１０３Ｃを形成する必要があった。また、このような従来のワイパーアーム１０１では、アームピース１０４とリテーナ１０３の間に段差１０５が生じてしまうので、ワイパーアーム１０１全体の美観が損ねられてしまっていた。
【０００４】
本発明はこのような問題点に鑑みてなされたもので、アームピースのリテーナに対する適切な位置決めを容易に行うことができ、かつ美観が向上され得るワイパーアームを提供することを目的とする。
【課題を解決するための手段】
【０００５】
本発明は、ワイパーブレードと連結可能なアームピースと、前記アームピースを保持するリテーナとを備えたワイパーアームにおいて、前記アームピースに段部を設け、前記段部が前記リテーナの端部と当接するようにした。
【０００６】
前記段部の高さは、前記リテーナと前記アームピースとの間に段差が無くなるように設定してもよい。
【０００７】
前記アームピースは、本体部と、前記本体部から延び前記リテーナに固定される取り付け部とを備え、前記段部は、前記本体部と前記取り付け部の境界に前記取り付け部側を向いて形成されていてもよい。
【発明の効果】
【０００８】
本発明によれば、アームピース（例えばアームピース４）に段部（例えば段部１３）を設け、この段部がリテーナ（例えばリテーナ３）の端部（例えば先端３Ｇ）に当接するようにしたので、リテーナへのアームピースの取り付け時に、アームピースの段部をリテーナの端部に当接させることにより、リテーナに対するアームピースの適切な位置決めを容易に行うことができる。また、アームピース及びリテーナに位置決め作業のための特別な構成を設ける必要が無くなる。
【０００９】
また、段部の高さを、リテーナとアームピースとの間に段差が無くなるように設定すれば、ワイパーアームの外観をリテーナからワイパーアームにかけてなだらかに連なるものとできるので、ワイパーアームの美観が向上する。
【発明を実施するための最良の形態】
【００１０】
以下、添付図面を参照しながら、本発明の実施形態を説明する。
【００１１】
図１、図２には、本発明の実施形態におけるワイパーアームを示す。図示されるように、ワイパーアーム１は、アームヘッド２と、アームヘッド２に回動可能に連結されたリテーナ３と、リテーナ３に保持されたアームピース４から構成されている。アームヘッド２の基端部２Ａは、図示されない駆動モータとリンク機構を介して連結される。一方、アームヘッド２の先端部２Ｂには、リテーナ３の基端部３Ａが回動可能に連結される。
【００１２】
リテーナ３は、天面３Ｃと両側の側面３Ｃを有する断面コの字型の長尺部材であり、ワイパーアーム１の中央部分を構成する。リテーナ３の先端部３Ｂには、両側側面３Ｃから延び出すかしめ部３Ｅが形成されている（図４参照）。詳しくは後述するように、このかしめ部３Ｅをかしめることにより、アームピース４のリテーナ３への固定がなされる。
【００１３】
アームピース４は、リテーナ３の先端部３Ｂに取り付けられて、ワイパーアーム１の先端部分を構成する部材で、その本体部１０から先端側に延び出した部分は、Ｕ字型に湾曲したフック部１１となっている。ワイパーアーム１は、このフック部１１において、図示されないワイパーブレードに連結される。
【００１４】
図３、図４に示すように、アームピース４の本端部１０から基端側に延び出した部分は、リテーナ３の先端部３Ｂに装着固定される取り付け部１２となっている。取り付け部１２と本体部１０の境界部分には、本発明の特徴である段部１３が、取り付け部１２側を向いて形成されている。
【００１５】
ワイパーアーム１の製造工程におけるアームピース４のリテーナ３への組み付け時には、まず、取り付け部１２が、リテーナ３の両側側面３Ｃの間に差し込まれる。この状態で、リテーナ先端部３Ｂのかしめ部３Ｅを、取り付け部１２側にかしめることにより、取り付け部１２がリテーナ１３に固定される。この場合、取り付け部１２がリテーナ１３に対して適切に配置されていれば、かしめ部３Ｅの端辺に形成された凹部３Ｆが、取り付け部１２に設けられた位置決め突起１４の周りに配置され、位置決め突起１４を囲み込む。これにより、アームピース４のリテーナ３からの抜け出しが確実に防止される。
【００１６】
このようなアームピース４のリテーナ３への組み付けにおいて、本実施形態のアームピース４には、本体部１０と取り付け部１２の間に段部１３が形成されているので、取り付け部１２をリテーナ３の両側側面３Ｃの間に差し込んでいくとき、段部１３がリテーナ３の端部３Ｇに当接するまで差し込み作業を行うようにすれば、アームピース４はリテーナ３に対して適切な位置まで差し込まれる。したがって、アームピース４及びリテーナ３に位置決め用の特別な構成（例えば図７の位置決め穴１０４Ｂ及び位置決め突起１０３Ｃ）を設ける必要なく、リテーナ３に対するアームピース４の位置決め作業を容易に行うことができ、引き続いて行われるかしめ部３Ｅのかしめ作業を適切に実行できる。
【００１７】
また、段部１３は、リテーナ３の外側面とアームピース４の外側面の間に凹凸が生じないような高さで、リテーナ３の端部３Ｇの全体と当接するように（アームピース４の周方向全体に）形成されている。これにより、完成したワイパーアーム１においては、リテーナ３とアームピース４との間に段差がなくなり、リテーナ３からアームピース４がなだらかに連なることになる。よって、ワイパーアーム１全体の美観を向上することができる。
【図面の簡単な説明】
【００１８】
【図１】本発明の実施形態におけるワイパーアームを示す平面図である。
【図２】同じくワイパーアームを示す側面図である。
【図３】同じくアームピースを示す平面図である。
【図４】同じくアームピースとリテーナの連結部分を示す底面図である。
【図５】従来のワイパーアームを示す平面図である。
【図６】同じく側面図である。
【図７】同じくアームピースとリテーナの連結部分を示す底面図である。
【符号の説明】
【００１９】
１  ワイパーアーム
３  リテーナ
３Ｇ  リテーナの先端
４  アームピース
１０  本体部
１１  フック部
１２  取り付け部
１３  段部
【図１】
2008195249.tif 000003
【図２】
2008195249.tif 000004
【図３】
2008195249.tif 000005
【図４】
2008195249.tif 000006
【図５】
2008195249.tif 000007
【図６】
2008195249.tif 000008
【図７】
2008195249.tif 000009